(57)【特許請求の範囲】
【請求項１】
少なくとも記録可能領域が、前端から後端へ向かって固定長の第１エリアと、可変長の第２エリアと、固定長の第３エリアとのいずれかに区画された媒体の搬送路に設けられた記録ヘッドと、
前記搬送路で搬送方向に前記媒体を搬送する搬送部と、
前記媒体に記録する画像の画像データを画像バッファーに展開し、展開した前記画像データに基づいて、前記記録ヘッド、及び、前記搬送部を制御して、前記媒体の所定の記録開始位置から前記画像の記録を開始して、前記媒体に前記画像を記録する記録制御部と、
前記搬送部により前記媒体を搬送することによって、前記媒体の長さを検出する媒体長検出部と、
前記画像バッファーに展開した前記画像データに基づいて、前記媒体に記録する前記画像の長さを算出する画像長算出部と、
前記記録開始位置を設定する記録開始位置設定部と、を備え、
前記記録開始位置設定部は、
前記第１エリアに前記画像を記録する場合、前記媒体の前端から、所定の固定値の距離分、離間した位置を前記記録開始位置として設定し、
前記第３エリアに前記画像を記録する場合、前記媒体長検出部により検出した前記媒体の長さと、前記画像の長さとの差に対応する距離分、前記媒体の前端から離間した位置を前記記録開始位置として設定し、
前記第２エリアに前記画像を記録する場合、
前記媒体長検出部により検出した前記媒体の長さと、
前記第３エリアの長さに、前記画像の長さを加算した値と、
の差に対応する距離分、前記媒体の前端から離間した位置を前記記録開始位置として設定する
ことを特徴とする記録装置。
【請求項２】
前記搬送部は、前記搬送路で前記搬送方向と逆方向に前記媒体を搬送可能であり、
前記記録ヘッドよりも上流の前記搬送路に、前記媒体長検出部による前記媒体の長さの検出に使用されるセンサーを備え、
前記記録制御部は、
前記媒体の後端が前記センサーの下流側に通過し、前記媒体長検出部による前記媒体の長さの検出が完了した時点で、前記記録開始位置が、前記記録ヘッドの下流側に通過した場合は、前記搬送部により前記媒体を前記搬送方向と逆方向に搬送し、前記記録開始位置を、前記記録ヘッドの上流側に位置させた後、前記画像の記録を実行させることを特徴とする請求項１に記載の記録装置。
【請求項３】
少なくとも記録可能領域が、前端から後端へ向かって固定長の第１エリアと、可変長の第２エリアと、固定長の第３エリアとのいずれかに区画された媒体の搬送路に設けられた記録ヘッドと、前記搬送路で搬送方向に前記媒体を搬送する搬送部と、を備える記録装置を制御する制御装置であって、
前記記録ヘッド、及び、前記搬送部を制御させて、前記媒体の所定の記録開始位置から画像の記録を開始させて、前記媒体に前記画像を記録させる記録制御部と、
前記媒体の長さを検出させる媒体長検出部と、
前記画像の長さを算出させる画像長算出部と、
前記記録開始位置を設定する記録開始位置設定部と、を備え、
前記記録開始位置設定部は、
前記第１エリアに前記画像を記録する場合、前記媒体の前端から、所定の固定値の距離分、離間した位置を前記記録開始位置として設定し、
前記第３エリアに前記画像を記録する場合、前記媒体長検出部により検出した前記媒体の長さと、前記画像の長さとの差に対応する距離分、前記媒体の前端から離間した位置を前記記録開始位置として設定し、
前記第２エリアに前記画像を記録する場合、
前記媒体長検出部により検出した前記媒体の長さと、
前記第３エリアの長さに、前記画像の長さを加算した値と、
の差に対応する距離分、前記媒体の前端から離間した位置を前記記録開始位置として設定する
ことを特徴とする制御装置。
【請求項４】
少なくとも記録可能領域が、前端から後端へ向かって固定長の第１エリアと、可変長の第２エリアと、固定長の第３エリアとのいずれかに区画された媒体の搬送路に設けられた記録ヘッドと、
前記搬送路で搬送方向に前記媒体を搬送する搬送部と、
前記媒体に記録する画像の画像データを画像バッファーに展開し、展開した前記画像データに基づいて、前記記録ヘッド、及び、前記搬送部を制御して、前記媒体の所定の記録開始位置から前記画像の記録を開始して、前記媒体に前記画像を記録する記録制御部と、
を備える記録装置に制御方法であって、
前記搬送部により前記媒体を搬送することによって、前記媒体の長さを検出し、
前記画像バッファーに展開した前記画像データに基づいて、前記媒体に記録する前記画像の長さを算出し、
前記第１エリアに前記画像を記録する場合、前記媒体の前端から、所定の固定値の距離分、離間した位置を前記記録開始位置として設定し、
前記第３エリアに前記画像を記録する場合、検出した前記媒体の長さと、検出した前記画像の長さとの差に対応する距離分、前記媒体の前端から離間した位置を前記記録開始位置として設定し、
前記第２エリアに前記画像を記録する場合、
検出した前記媒体の長さと、
前記第３エリアの長さに、前記画像の長さを加算した値と、
の差に対応する距離分、前記媒体の前端から離間した位置を前記記録開始位置として設定する
ことを特徴とする記録装置の制御方法。
【発明の詳細な説明】
【技術分野】
【０００１】
本発明は、媒体を搬送し、搬送中の媒体に記録する記録装置、当該記録装置を制御する制御装置、及び、当該記録装置の制御方法に関する。
【背景技術】
【０００２】
従来、小切手等の媒体を搬送すると共に、搬送中、媒体に画像を記録する記録装置（媒体処理装置）が知られている（例えば、特許文献１参照）。
【先行技術文献】
【特許文献】
【０００３】
【特許文献１】特開２００２−２５５３９３号公報
【発明の概要】
【発明が解決しようとする課題】
【０００４】
ここで、上述した記録装置のように、搬送中の媒体に画像を記録するものでは、記録媒体の記録可能領域の一部の領域、例えば、後端部に形成された一部の領域や、中央部に形成された一部の領域に画像を記録することが求められる場合がある。そして、このような場合は、記録すべき領域に対応する位置に画像が記録されるように画像の記録を開始するタイミングを適切に調整する必要がある。特に、小切手等の媒体は、そのサイズが一定ではないが、どのようなサイズの媒体に対しても、画像を記録すべき領域に対応する適切な位置に画像を記録する必要がある。
本発明は、上述した事情に鑑みてなされたものであり、媒体のサイズにかかわらず、媒体の画像を記録すべき領域に対応する位置に、画像を記録できるようにすることを目的とする。
【課題を解決するための手段】
【０００５】
上記目的を達成するために、本発明は、記録装置であって、媒体の搬送路に設けられた記録ヘッドと、前記搬送路で搬送方向に前記媒体を搬送する搬送部と、前記記録ヘッド、及び、前記搬送部を制御して、前記媒体の所定の記録開始位置から画像の記録を実行させる記録制御部と、前記媒体の長さを検出する媒体長検出部と、前記画像の長さを算出する画像長算出部と、前記媒体への前記画像の記録に際し、前記媒体長検出部により検出された前記媒体の長さと、前記画像長算出部により算出された前記画像の長さと、に基づいて、前記記録開始位置を設定する記録開始位置設定部と、を備えることを特徴とする。  この構成によれば、記録装置は、媒体への画像の記録に際し、媒体の実際の長さと、媒体に記録すべき画像の実際の長さと、に基づいて、記録開始位置を設定可能である。このため、記録装置は、記録開始位置を、媒体の実際の長さ、及び、媒体に記録すべき画像の実際の長さと、媒体において画像を記録すべき領域と、の関係で適切な位置とすることが可能であり、これにより、媒体のサイズにかかわらず、媒体の画像を記録すべき領域に対応する適切な位置に、画像を記録することが可能となる。
なお、媒体の長さとは、媒体に、画像の記録が禁止されたマージンが形成されている場合は、そのマージンを加味した長さを示す。
また、本発明は、前記記録制御部は、前記画像の画像データを画像バッファーに展開し、展開した前記画像データに基づいて、前記媒体の所定の記録開始位置から前記画像の記録を開始させ、前記媒体長検出部は、前記搬送部による搬送中の前記媒体の長さを算出し、前記画像長算出部は、前記画像データに基づいて前記画像の長さを算出することを特徴とする。
【０００６】
また、本発明は、前記記録開始位置設定部は、前記媒体の長さと、前記画像の長さとの差に対応する距離分、前記媒体の前端から離間した位置を前記記録開始位置として設定することにより、前記記録開始位置を、前記媒体の後端に対応する位置に前記画像の後端が位置するように前記画像を記録するための位置とすることを特徴とする。
この構成によれば、記録装置は、媒体の実際の長さと、画像の実際の長さとに応じて、記録開始位置を、媒体の後端に対応する位置に、画像の後端が位置するように画像を記録するための位置とすることが可能であり、媒体の後端部に形成された領域に画像を記録する際に、当該領域に対応する適切な位置に画像を記録することが可能となる。
なお、記録媒体の前端、後端とは、記録媒体の前端部や後端部に画像の記録が禁止されたマージンが形成されている場合は、このマージンを加味した概念である。
【０００７】
また、本発明は、前記記録開始位置設定部は、前記媒体の長さと、前記画像の長さとに基づいて、前記媒体の中央部に画像を記録した場合の、前記媒体の前端と前記画像の前端との離間量を算出し、算出した離間量に基づいて前記記録開始位置を設定することにより、前記記録開始位置を、前記媒体の中央部に前記画像が位置するように前記画像を記録するための位置とすることを特徴とする。
この構成によれば、記録装置は、媒体の実際の長さと、画像の実際の長さとに応じて、記録開始位置を、媒体の中央部に画像を記録するための位置とすることが可能であり、媒体の中央部に形成された領域に画像を記録する際に、当該領域に対応する適切な位置に画像を記録することが可能となる。
【０００８】
また、本発明は、前記記録開始位置設定部は、前記媒体の長さと、前記画像の長さとの差に対応する距離分、前記媒体の前端から離間した位置を前記記録開始位置として設定することにより、前記記録開始位置を、前記媒体の後端に対応する位置に前記画像の後端が位置するように前記画像を記録するための位置とすることが可能であると共に、前記媒体の長さと、前記画像の長さとに基づいて、前記媒体の中央部に前記画像を記録した場合の、前記媒体の前端と前記画像の前端との離間量を算出し、算出した離間量に基づいて前記記録開始位置を設定することにより、前記記録開始位置を、前記媒体の中央部に前記画像が位置するように前記画像を記録するための位置とすることが可能であり、前記記録開始位置を、前記媒体の後端に対応する位置に、前記画像の後端が位置するように前記画像を記録するための位置に設定するか、又は、前記媒体の中央部に前記画像が位置するように前記画像を記録するための位置に設定するか、を指示に応じて切り替えることを特徴とする。  この構成によれば、記録装置は、記録開始位置を、媒体における画像を記録するべき領域に応じた適切な位置とすることができる。
【０００９】
また、本発明は、前記搬送部は、前記搬送路で前記搬送方向と逆方向に前記媒体を搬送可能であり、前記記録ヘッドよりも上流の前記搬送路に、前記媒体長検出部による前記媒体の長さの検出に使用されるセンサーを備え、前記記録制御部は、前記媒体の後端が前記センサーの下流側に通過し、前記媒体検出部による前記媒体の長さの検出が完了した時点で、前記記録開始位置が、前記記録ヘッドの下流側に通過した場合は、前記搬送部により前記媒体を前記搬送方向と逆方向に搬送し、前記記録開始位置を、前記記録ヘッドの上流側に位置させた後、前記画像の記録を実行させることを特徴とする。
ここで、記録ヘッドの搬送方向上流に設けたセンサーを利用して媒体の長さを検出する構成とした場合、記録ヘッドとセンサーとの距離、及び、媒体の長さの関係では、媒体の後端がセンサーを通過し、媒体の長さの検出が完了した時点で、媒体の記録開始位置が記録ヘッドを搬送方向側に通過し、記録開始位置からの記録の開始ができないという事態が生じ得る。このような場合であっても、上記構成によれば、記録装置は、搬送部により媒体を前記搬送方向と逆側に搬送して、記録開始位置を、記録ヘッドの位置よりも搬送方向上流側に位置させた後、画像の記録を実行するため、記録開始位置から画像の記録を開始することが可能である。
【００１０】
また、上記目的を達成するために、本発明は、媒体の搬送路に設けられた記録ヘッドと、搬送路で搬送方向に前記媒体を搬送する搬送部と、を備える記録装置を制御する制御装置であって、前記記録ヘッド、及び、前記搬送部を制御して、前記媒体の所定の記録開始位置から画像の記録を実行させる記録制御部と、前記媒体の長さを検出する媒体長検出部と、前記画像の長さを算出する画像長算出部と、前記媒体への前記画像の記録に際し、前記媒体長検出部により検出された前記媒体の長さと、前記画像長算出部により算出された前記画像の長さと、に基づいて、前記記録開始位置を設定する記録開始位置設定部と、を備えることを特徴とする。  この構成によれば、記録装置は、媒体への画像の記録に際し、媒体の実際の長さと、媒体に記録すべき画像の実際の長さと、に基づいて、記録開始位置を設定可能である。このため、記録装置は、記録開始位置を、媒体の実際の長さ、及び、媒体に記録すべき画像の実際の長さと、媒体において画像を記録すべき領域と、の関係で適切な位置とすることが可能であり、これにより、媒体のサイズにかかわらず、媒体の画像を記録すべき領域に対応する適切な位置に、画像を記録することが可能となる。
【００１１】
また、上記目的を達成するために、本発明は、媒体の搬送路に設けられた記録ヘッドと、搬送路で搬送方向に前記媒体を搬送する搬送部と、前記記録ヘッド、及び、前記搬送部を制御して、前記媒体の所定の記録開始位置から画像の記録を実行する記録制御部と、を備える記録装置の制御方法であって、前記媒体の長さを検出し、前記画像の長さを算出し、検出した前記媒体の長さと、算出した前記画像の長さと、に基づいて、前記記録開始位置を設定することを特徴とする。
この制御方法によれば、記録装置は、媒体への画像の記録に際し、媒体の実際の長さと、媒体に記録すべき画像の実際の長さと、に基づいて、記録開始位置を設定可能である。このため、記録装置は、記録開始位置を、媒体の実際の長さ、及び、媒体に記録すべき画像の実際の長さと、媒体において画像を記録すべき領域と、の関係で適切な位置とすることが可能であり、これにより、媒体のサイズにかかわらず、媒体の画像を記録すべき領域に対応する適切な位置に、画像を記録することが可能となる。
【００１２】
また、上記目的を達成するために、本発明は、媒体の搬送路上に設けられた記録ヘッドと、搬送路上で搬送方向に前記媒体を搬送する搬送部と、前記媒体に記録すべき画像の画像データを画像バッファーに展開し、展開した画像データに基づいて、前記記録ヘッド、及び、前記搬送部を制御して、前記媒体上の所定の記録開始位置から画像の記録を開始して、前記媒体に画像を記録する記録制御部と、を備える記録装置を制御する制御部により実行されるプログラムであって、前記制御部を、前記搬送部による搬送中の前記媒体の長さを検出する媒体長検出部と、前記画像データに基づいて記録されるべき画像の長さを算出する画像長算出部と、前記媒体への画像の記録に際し、前記媒体長検出部により検出された前記媒体の長さと、前記画像長算出部により算出された、前記媒体に記録すべき画像の長さと、に基づいて、前記記録開始位置を設定する記録開始位置設定部と、として機能させることを特徴とする。
このプログラムによれば、記録装置は、媒体への画像の記録に際し、媒体の実際の長さと、媒体に記録すべき画像の実際の長さと、に基づいて、記録開始位置を設定可能である。このため、記録装置は、記録開始位置を、媒体の実際の長さ、及び、媒体に記録すべき画像の実際の長さと、媒体において画像を記録すべき領域と、の関係で適切な位置とすることが可能であり、これにより、媒体のサイズにかかわらず、媒体の画像を記録すべき領域に対応する適切な位置に、画像を記録することが可能となる。
【発明の効果】
【００１３】
本発明によれば、媒体のサイズにかかわらず、媒体の画像を記録すべき領域に対応する位置に、画像を記録できる。
【図面の簡単な説明】
【００１４】
【図１】第１実施形態に係る複合処理装置の外観斜視図である。
【図２】複合処理装置の内部構造を示す図である。
【図３】複合処理装置、ホストコンピューターの構成を示すブロック図である。
【図４】複合処理装置の動作を示すフローチャートである。
【図５】小切手の裏面を示す図である。
【図６】小切手に画像を記録するときの動作の説明に利用する図である。
【図７】複合処理装置の動作を示すフローチャートである。
【図８】記録開始位置を示す図である。
【図９】中央寄せで記録する場合における記録開始位置を示す図である。
【図１０】第２実施形態に係る複合処理装置の動作の説明に利用する図である。
【発明を実施するための形態】
【００１５】
以下、図面を参照して本発明の実施形態について説明する。
＜第１実施形態＞
図１は、第１実施形態に係る複合処理装置１（記録装置）の外観斜視図である。
複合処理装置１は、シート状の小切手４や帳票等の媒体に対し、媒体に記録された磁気インク文字の読み取り、媒体の両面の光学的読み取り、及び、当該媒体への画像の記録を行う装置である。
また、複合処理装置１は、クレジットカード等のカード型の媒体に記録された磁気情報を読み取るリーダーとしての機能、及び、感熱ロール紙に画像を記録して切断することにより、画像が記録された紙片を発行する機能を備えている。
【００１６】
本実施形態では、媒体として小切手４を処理する場合を例に挙げて説明する。
小切手４は、図１に示すように、所定の模様や装飾が施されたシートに金額、振出人、通し番号、サインなどが印字または記載された帳票である。これら金額、振出人、通し番号、サインなどは表面４ａにあり、裏面４ｂには裏書き欄が設けられている。この裏書き欄には、後述するインクジェットヘッド１０（記録ヘッド）によって、裏書きに係る所定の画像が記録される。また、表面４ａには小切手４の長辺方向に延びる磁気インク文字列４ｃが形成されている。磁気インク文字列４ｃは、磁気インクで印刷された複数の磁気インク文字（ＭＩＣＲ文字）が並んだものであり、磁気的または光学的に読み取ることができる。小切手４の短辺方向及び長辺方向のサイズは規格化されているものの、多様な規格が存在するため、実際には様々なサイズがある。複合処理装置１では、一般的な小切手４のサイズをほぼ包含し得る最大サイズを規定し、この最大サイズ内の小切手４であれば処理できる。
【００１７】
複合処理装置１は、本体下部を覆う下部ケース１１、及び下部ケース１１に被せられるカバー１２からなる外装を有し、外装の内部に複合処理装置１の本体１３(図２)が収容されている。複合処理装置１の前面には、小切手４を挿入する挿入口１４が開口しており、挿入口１４の奥には複数の小切手４を積層して収納できるストッカー１５が設けられている。このストッカー１５は、前面側へ向かって引き出し自在に構成されており、ストッカー１５に収納すべき小切手４のサイズに応じてストッカー１５を引き出した上で、このストッカー１５に小切手４を収納させることが可能である。
また、カバー１２には、上面視で略Ｕ字形状に、小切手４の搬送路Ｗとなるスリット１８が形成されている。スリット１８は、上述したストッカー１５に連通すると共に、スリット１８は複合処理装置１の前面側に設けられたポケット１９に連通している。ストッカー１５に収納された小切手４は、後述するように１枚ずつ複合処理装置１の内部に取り込まれ、スリット１８を通る間に処理されて、処理後の小切手４はポケット１９に排出される。ポケット１９には複数の小切手４を収納することができる。
図１に示すように、ストッカー１５の側方には、磁気カードリーダーユニット２０が設けられている。磁気カードリーダーユニット２０は、カバー１２に形成されたカードスリット２１と、このカードスリット２１に対応して設けられたＭＣＲヘッド２２（図３）とを備え、カードスリット２１を通るカード類に磁気的に記録された情報をＭＣＲヘッド２２によって読み取る。
【００１８】
図２は、複合処理装置１の外装内部に収容されている本体１３の構成を示す平面図である。
図２に示すように、ストッカー１５の一側面にはホッパー２５が設けられている。このホッパー２５は、ホッパー駆動モーター２６（図３）により、図中矢印方向に回動可能に構成されており、ストッカー１５に貯留された小切手４を他方の側面側に付勢する。
ストッカー１５の他方の側面には、後述するＡＳＦ（Automatically Sheet Feeder）モーター２７（図３）により駆動されるピックアップローラー２８が配置されており、ホッパー２５がピックアップローラー２８側に回動すると、この回動に応じてストッカー１５内の小切手４のうち１枚がピックアップローラー２８に付勢され、当該ローラーに接触して、当該ローラーの回転に応じて搬送路Ｗに繰り出される。
ストッカー１５の奥には、一対のローラーで構成されるＡＳＦローラー２９が配置されている。ＡＳＦローラー２９の２つのローラーは、搬送路Ｗの両側に配置され、一方は後述するＡＳＦモーター２７の動力により回転し、他方のローラーは従動ローラーである。ピックアップローラー２８に接した小切手４はＡＳＦローラー２９に挟まれて、スリット１８内を下流側へ搬送される。
【００１９】
ストッカー１５の所定の位置には、ＡＳＦ用紙検出器３１（図３）が設けられている。ＡＳＦ用紙検出器３１は、例えば透過型光センサーで構成され、ストッカー１５における小切手４の有無を検出する。
また、ストッカー１５において、ホッパー２５の待機位置には、ホッパー位置検出器３２（図３）が設けられている。ホッパー位置検出器３２は、例えば透過型光センサーで構成され、ホッパー２５が待機位置に位置しているか否かを検出する。
ＡＳＦローラー２９の下流側には、小切手４の表面４ａに接して磁気インク文字列４ｃ（図１）を磁気的に読み取るＭＩＣＲ（Magnetic Ink Character Recognition）ヘッド３５が配置されている。ＭＩＣＲヘッド３５には、ＭＩＣＲローラー３６が対向配置される。ＭＩＣＲローラー３６はＭＩＣＲヘッド３５側に付勢されており、小切手４をＭＩＣＲヘッド３５に押しつけながら回転して、小切手４を、ＭＩＣＲ文字の読み取りに適した定速で搬送する。ＭＩＣＲヘッド３５の上流側には、ＡＳＦローラー２９により繰り出された小切手４をＭＩＣＲヘッド３５に案内する、一対のローラーからなるアシストローラー３７が配置されている。
【００２０】
また、搬送路Ｗ上においてアシストローラー３７とＭＩＣＲヘッド３５との間には、用紙長検出器３８（センサー）が配置されている。用紙長検出器３８は、例えば反射型光センサーで構成され、搬送路Ｗ上を通る小切手４の検出位置における有無を検出することにより、小切手４の前端及び後端を検出する。用紙長検出器３８の検出値は後述する制御部７０により取得される。後述する媒体長検出部７０ｂは、この検出値の変化に基づいて小切手４の搬送方向における長さを求める。
なお、搬送方向とは、ストッカー１５からポケット１９に向かう方向のことであり、本実施形態に係る複合処理装置１は、所定の例外を除き、小切手４を搬送方向に搬送しつつ、搬送中の小切手４に対して各種処理を行う。
搬送路Ｗ上でＭＩＣＲヘッド３５の下流側には、搬送路Ｗを挟んで対向する一対のローラーを有する第１搬送ローラー４０が設けられ、さらに、この第１搬送ローラー４０の下流側には第２搬送ローラー４１が設けられている。これら第１搬送ローラー４０、及び、第２搬送ローラー４１は、搬送モーター４２（図３）によって回転駆動されるローラーであり、これらローラーによって小切手４はインクジェットプリンターユニット４４へ搬送される。
【００２１】
インクジェットプリンターユニット４４は、インクジェットヘッド１０を備えている。インクジェットヘッド１０は、本体１３の前部に収容されているインクカートリッジ４５からインクの供給を受けて、小切手４にインクを吐出するインクジェット方式の記録ヘッドである。このインクジェットヘッド１０は、ノズル列が小切手４の紙幅方向に延在した、いわゆるラインインクジェットヘッドであり、小切手４に対する記録の際は、一定の速度で搬送される小切手４の裏面４ｂに対して、固定された状態のインクジェットヘッド１０からインクが吐出されて、画像が記録される。この小切手４の裏面４ｂに記録される画像は、いわゆる裏書きと呼ばれる文字や記号等である。
インクジェットヘッド１０の上流側であって、インクジェットヘッド１０と、第２搬送ローラー４１との間には、中間検出器４６が設けられている。中間検出器４６は、例えば反射型光センサーで構成され、検出位置における小切手４の有無を検出する。
【００２２】
インクジェットヘッド１０の下流には、小切手４を光学的に読み取るＣＩＳ（Contact Image Sensor）ユニットが配置されている。このＣＩＳユニットは、小切手４の表面４ａを読み取る表面ＣＩＳユニット４７と、裏面４ｂを読み取る裏面ＣＩＳユニット４８とを有し、小切手４の両面を光学的に読み取り可能である。表面ＣＩＳユニット４７と裏面ＣＩＳユニット４８は搬送路Ｗを挟んで対向配置されており、これらユニットの上流側には第１ＣＩＳローラー５０が配置され、また、下流側には第２ＣＩＳローラー５１が配置されている。これら第１ＣＩＳローラー５０、及び、第２ＣＩＳローラー５１は、搬送モーター４２によって回転駆動されるローラーであり、これらローラーによってＣＩＳユニットによって読み取り中の小切手４が安定して搬送される。
第２ＣＩＳローラー５１の下流には、排出検出器５２が設けられている。排出検出器５２は、例えば反射型光センサーで構成され、検出位置における小切手４の有無を検出する。
【００２３】
表面ＣＩＳユニット４７、裏面ＣＩＳユニット４８の下流側には上述したポケット１９が設けられている。ポケット１９は、メインポケット１９ａと、サブポケット１９ｂとに区画されており、スリット１８が分岐して、それぞれのポケット１９に連通している。これらメインポケット１９ａ、及び、サブポケット１９ｂには、それぞれ複数の小切手４を収納できる。
そして、スリット１８が分岐した位置には、小切手４を排出すべきポケット１９を、メインポケット１９ａとサブポケット１９ｂとのいずれかに切り替える切替板５４が配置されている。切替板５４は、メインポケット１９ａに連通する経路とサブポケット１９ｂに連通する経路のいずれか一方を塞ぐことで小切手４を他方に案内するガイドであり、切替板駆動モーター５５によって駆動される。切替板５４からメインポケット１９ａに繋がる経路には排出ローラー５６が設けられ、また、切替板５４からサブポケット１９ｂに繋がる経路には排出ローラー５７が設けられており、小切手４は、これらローラーにより切替板５４に案内されたいずれかのポケット１９にスムーズに排出される。
後述するように、複合処理装置１は、ＭＩＣＲヘッド３５による磁気インク文字列４ｃの読み取り結果に基づいて、小切手４が正しくセットされていると判別した場合は、小切手４をメインポケット１９ａに排出し、一方、小切手４が正しくセットされていないと判別した場合は、サブポケット１９ｂに排出する。
【００２４】
また、図１及び図２に示すように、複合処理装置１の中央部には、画像が記録された紙片を発行するサーマルプリンターユニット６０が設けられている。
図１に示すように、サーマルプリンターユニット６０は、ユニット本体の上部を覆うプリンターカバー６１を備えている。このプリンターカバー６１は、カバー１２に対して開閉自在に取り付けられており、プリンターカバー６１を開くと、感熱ロール紙を収容可能な空間であるロール紙収容部６２（図２）が露出し、感熱ロール紙の補充や交換が可能となる。プリンターカバー６１には、排紙口６３が形成されており、ロール紙収容部６２に収容された感熱ロール紙は、排紙口６３を介して、排出される。
サーマルプリンターユニット６０は、ロール紙収容部６２に収容した感熱ロール紙を繰り出して搬送路上を搬送させるローラー状のプラテン（不図示）と、プラテンに対向配置されたサーマルヘッド６５（図３）と、搬送方向に対し直交する方向に感熱ロール紙を切断するカッターユニット６６とを備えている。紙片の発行に際し、サーマルプリンターユニット６０は、プラテンを駆動して感熱ロール紙を搬送方向に搬送しつつ、サーマルヘッド６５により感熱ロール紙に画像を記録し、カッターユニット６６によって所定の位置で感熱ロール紙を切断することにより、紙片を発行する。
【００２５】
図３は、複合処理装置１とホストコンピューター５（制御装置）とを接続して構成される媒体処理システム８の機能的構成を示すブロック図である。
図３に示すように、ホストコンピューター５は、ホスト側制御部８０と、ホスト側表示部８１と、ホスト側入力部８２と、ホスト側記憶部８３と、インターフェイス部８４（Ｉ／Ｆ部）と、を備えている。
ホスト側制御部８０は、ＣＰＵや、ＲＯＭ、ＲＡＭ、その他の周辺回路を備え、ホストコンピューター５の各部を中枢的に制御する。
ホスト側表示部８１は、液晶表示パネル等の表示パネルを備え、ホスト側制御部８０の制御の下、各種情報を表示パネルに表示する。
ホスト側入力部８２は、マウスやキーボード等の入力デバイスに接続され、入力デバイスに対する操作を検出して、ホスト側制御部８０に出力する。
ホスト側記憶部８３は、ハードディスクや、ＥＥＰＲＯＭ等の不揮発性メモリーを備え、各種プログラムや、各種データを不揮発的に記憶する。
インターフェイス部８４（Ｉ／Ｆ部）は、ホスト側制御部８０の制御の下、複合処理装置１との間で通信規格に準拠した通信を行う。
【００２６】
一方、図３に示すように、複合処理装置１は、制御部７０と、プリンター制御部７１と、ヘッド駆動回路７２と、モータードライバー７３と、読取制御回路７４と、センサー駆動回路７５と、インターフェイス部７６（I／Ｆ部）とを有し、これらの各部が相互に接続されている。
【００２７】
制御部７０は、複合処理装置１の各部を中枢的に制御するものであり、ＣＰＵや、ＲＯＭ、ＲＡＭ、その他の周辺回路等を備えている。制御部７０は、ＲＯＭに記憶されているファームウェアをＣＰＵにより読み出して実行することにより、複合処理装置１の各部を制御する。この制御部７０には、画像バッファー７９が接続されている。この画像バッファー７９は、ＲＡＭ等の揮発性メモリーに形成されたバッファーである。この画像バッファー７９については、後に詳述する。
プリンター制御部７１は、インクジェットプリンターユニット４４及びサーマルプリンターユニット６０を中枢的に制御するものである。プリンター制御部７１は、制御部７０の制御の下、ヘッド駆動回路７２を介してインクジェットヘッド１０に駆動電流を供給し、小切手４に画像への記録を行う。また、プリンター制御部７１は、制御部７０の制御の下、ヘッド駆動回路７２を介してサーマルヘッド６５に駆動電流を供給し、感熱ロール紙への記録を行う。
モータードライバー７３は、ホッパー駆動モーター２６に接続され、制御部７０の制御に従ってホッパー２５を回動させる。
また、モータードライバー７３は、制御部７０の制御の下、ＡＳＦモーター２７に駆動パルスを出力して当該モーターを動作させ、当該モーターに接続されたピックアップローラー２８、及び、ＡＳＦローラー２９を駆動することにより、ストッカー１５に収納された小切手４を搬送路Ｗ上に繰り出す。
また、モータードライバー７３は、搬送モーター４２に接続され、制御部７０の制御の下、搬送モーター４２に駆動パルスを出力して当該モーターを動作させ、当該モーターに接続されたアシストローラー３７、第１搬送ローラー４０、第２搬送ローラー４１、第１ＣＩＳローラー５０、及び、第２ＣＩＳローラー５１を駆動することにより、搬送路Ｗ上で小切手４を搬送する。本実施形態では、搬送モーター４２は、ステッピングモーターにより構成されており、制御部７０は、搬送モーター４２のステップ数を管理することにより、搬送路Ｗ上の小切手４の搬送量を管理可能である。
本実施形態では、搬送モーター４２や、この搬送モーター４２により駆動される各ローラー、モータードライバー７３等、小切手４の搬送に係る各種部材、機構、装置が協働して、搬送路Ｗ上で搬送方向（又は、その逆方向）に小切手４（媒体）を搬送する搬送部として機能する。
また、モータードライバー７３は、切替板駆動モーター５５に接続され、制御部７０の制御の下、当該モーターに駆動パルスを出力して、当該モーターを駆動して、切替板５４を、メインポケット１９ａ側、又は、サブポケット１９ｂ側に切り替える。
【００２８】
読取制御回路７４は、ＭＣＲヘッド２２、ＭＩＣＲヘッド３５、表面ＣＩＳユニット４７、及び、裏面ＣＩＳユニット４８に接続されている。読取制御回路７４は、制御部７０の制御に従って、カードスリット２１（図１）にカード類が通される際にＭＣＲヘッド２２によって磁気情報を読み取らせ、ＭＣＲヘッド２２が出力する読取信号をデジタル化して制御部７０に出力する。
また、読取制御回路７４は、制御部７０の制御に従ってＭＩＣＲヘッド３５によって磁気情報を読み取らせ、ＭＩＣＲヘッド３５が出力する読取信号をデジタル化して制御部７０に出力する。
また、読取制御回路７４は、制御部７０の制御に従って、表面ＣＩＳユニット４７及び裏面ＣＩＳユニット４８に、小切手４の表面４ａ及び裏面４ｂの読み取りを実行させる。この際、表面ＣＩＳユニット４７及び裏面ＣＩＳユニット４８の各々から出力される信号をデジタルデータ化し、制御部７０に出力する。
センサー駆動回路７５は、ＡＳＦ用紙検出器３１、ホッパー位置検出器３２、用紙長検出器３８、中間検出器４６、及び、排出検出器５２に接続され、これらの各検出器に電流を供給して、所定周期で出力値を取得し、取得した出力値をデジタルデータに変換して制御部７０に出力する。
インターフェイス部７６は、ホストコンピューター５に対して有線または無線で接続され、制御部７０の制御に従って、ホストコンピューター５との間で通信規格に準拠した通信を行う。
【００２９】
次いで、小切手４を処理する際の複合処理装置１の基本的な動作について説明する。
上述したように、ストッカー１５には、複数枚の小切手４を収納可能である。そして、本実施形態に係る複合処理装置１は、ストッカー１５に収納された複数の小切手４について、所定のタイミングで、順次、搬送路Ｗ上に繰り出し、以下で説明する一連の処理を、各小切手４について連続して実行可能である。
【００３０】
図４は、ある１枚の小切手４に対して実行される一連の処理を示すフローチャートである。
以下の説明の前提として、ホストコンピューター５から複合処理装置１に対して、下記の一連の処理を実行させるための制御コマンドが適切なタイミングで過不足無く出力されるものとし、複合処理装置１の制御部７０は、制御コマンドを読み出して実行することにより、下記の一連の処理を順次実行するものとする。
また、以下の説明において、制御部７０の機能は、ＣＰＵがファームウェアを読み出して実行する等、ハードウェアとソフトウェアとの協働により実現される。
図４に示すように、複合処理装置１の制御部７０は、ホストコンピューター５から小切手４の処理開始を指示するコマンドを受信すると（ステップＳＡ１）、ホッパー位置検出器３２の検出値や、ＡＳＦ用紙検出器３１の検出値を監視しつつ、ホッパー駆動モーター２６や、ＡＳＦモーター２７を駆動して、ストッカー１５に収納された小切手４のうち１枚を搬送路Ｗに繰り出して、小切手４の搬送を開始する（ステップＳＡ２）。
次いで、制御部７０は、用紙長検出器３８の検出値を監視することにより小切手４の位置を管理しつつ、ＭＩＣＲヘッド３５によって、小切手４の磁気インク文字列４ｃを読み取る（ステップＳＡ３）。
次いで、制御部７０は、ＭＩＣＲヘッド３５の読み取り結果に基づいて、小切手４が上下裏表逆にセットされることなく、正しくセットされているか否かを判別する（ステップＳＡ４）。詳細には、制御部７０は、磁気インク文字列４ｃを構成する磁気インク文字について、磁気インク文字を読み取って得られる検出波形と、基準波形との比較による磁気インク文字認識を行って、磁気インク文字認識の成否により、小切手４が正しくセットされているか否かを判別する。
次いで、制御部７０は、ステップＳＡ４の判別結果に基づいて、切替板駆動モーター５５を駆動して、切替板５４を切り替える（ステップＳＡ５）。すなわち、制御部７０は、小切手４が正しくセットされている場合は、切替板５４をメインポケット１９ａ側に切り替え、一方、小切手４が正しくセットされていない場合は、切替板５４をサブポケット１９ｂ側に切り替える。なお、ステップＳＡ４、ＳＡ５の処理を、以下のステップＳＡ６、ＳＡ７の処理と並行して行うようにしてもよい。
次いで、制御部７０は、中間検出器４６の検出値を監視することにより小切手４の位置を監視しつつ、搬送モーター４２の駆動により各種モーターを駆動して小切手４を搬送し、インクジェットヘッド１０により、小切手４の裏面４ｂに所定の画像を記録する（ステップＳＡ６）。なお、小切手４が正しくセットされていない場合は、ステップＳＡ６において、画像の記録を行わないようにしてもよい。
次いで、制御部７０は、表面ＣＩＳユニット４７によって小切手４の表面４ａをスキャンすると共に、裏面ＣＩＳユニット４８によって裏面４ｂをスキャンし、スキャン結果をホストコンピューター５に出力する（ステップＳＡ７）。なお、小切手４が正しくセットされていない場合は、ステップＳＡ７において、スキャンを行わないようにしてもよい。
次いで、制御部７０は、排出検出器５２の検出値を監視することにより小切手４が正常に排紙されたか否かを監視しつつ、搬送モーター４２を駆動することにより各種モーターを駆動して小切手４をポケット１９に排出する（ステップＳＡ８）。その際、小切手４は、切替板５４に導かれてメインポケット１９ａ、サブポケット１９ｂのうちＭＩＣＲヘッド３５の読み取り結果に応じた適切なポケット１９に排出される。
【００３１】
次に、複合処理装置１がインクジェットヘッド１０により小切手４に画像を記録する際の動作について詳述する。
【００３２】
図５は、小切手４の裏面４ｂ（記録面）の一例を示す図である。
小切手４が搬送路Ｗ上を搬送される際は、上端４ｆが上方、下端４ｇが下方となるようにセットされ、図５に矢印で示すとおり、前端４ｄを先頭として、図中左へ向かって搬送される。すなわち、小切手４において、搬送方向の先頭側が前端４ｄであり、反対側が後端４ｅである。また、本実施形態では、「搬送方向における長さ」を、単に「長さ」と呼ぶ。
また、図６は、小切手４に画像を記録する際の動作の説明に利用するため、搬送路Ｗにおいてインクジェットヘッド１０が設けられた位置の近辺を模式的に示す図である。より具体的には、図６のＡでは、図中右から左に向かう方向が搬送方向となるように搬送路Ｗが示されると共に、搬送路Ｗ上にインクジェットヘッド１０と、当該ヘッドに形成されたノズル列９０が示されている。さらに、このインクジェットヘッド１０の搬送方向上流に、中間検出器４６（図２参照）によって小切手４の有無が検出される検出位置Ｔ１が示されている。図６のＢ〜Ｄにおいても同様である。
ノズル列９０は、複数のノズルが搬送方向に交わる方向に延在して形成されたものである。画像の記録の際は、搬送路Ｗ上を一定速度で搬送される小切手４に対して、ノズル列９０を構成するノズルのうち適切なノズルから適切なタイミングでインクが吐出され、画像を構成するドットが形成される。
【００３３】
図５に示すように、小切手４の前端４ｄに対応する位置には、前マージンＭ１が形成されており、後端４ｅに対応する位置には、後マージンＭ２が形成されている。これらマージンは、画像の記録が禁止された領域であり、前マージンＭ１の長さはＬ１であり、後マージンＭ２の長さはＬ２である。Ｌ１、Ｌ２は、固定値でもよく、また、事前に設定された値でもよい。
また、小切手４の裏面４ｂでは、前マージンＭ１及び後マージンＭ２を除いた領域が画像の記録が可能な領域（以下、「記録可能領域」という。）であり、当該領域の長さは、Ｌ３である。周知の通り、小切手４のサイズは、一定ではないため、このＬ３は小切手４によって異なっている。
図５に示すように、記録可能領域は、区切りＱ１、Ｑ２、Ｑ３、及び、Ｑ４を境として、前端４ｄから後端４ｅに向かって順に、エリアＡ１、エリアＡ２、及び、エリアＡ３の３つの領域に区画されている。これらエリアＡ１−Ａ３には、小切手４の規格に応じて、それぞれ異なる目的を持った情報が記録される。エリアＡ１の長さ、及び、エリアＡ３の長さは、小切手４のサイズによらず一定であることが規格によって決まっており、エリアＡ１の長さはＬ４であり、エリアＡ３の長さはＬ５である。また、エリアＡ２の長さは、Ｌ６であるが、このＬ６の値は、記録可能領域の長さＬ３から、エリアＡ１の長さＬ４及びエリアＡ３の長さＬ５を減算した値である。つまり、エリアＡ２の長さＬ６は、小切手４によって異なる。
【００３４】
小切手４に画像を記録する際は、記録開始位置ＫＫが予め設定される。記録開始位置ＫＫとは、画像の記録を開始する位置のことであり、複合処理装置１は、小切手４を搬送方向に一定速度で搬送しつつ、ノズル列９０に対応する位置に記録開始位置ＫＫが至ったときに、ノズル列９０による画像の記録のためのインクの吐出を開始する。
本実施形態では、この記録開始位置ＫＫは、前マージンＭ１の後端（区切りＱ１）からの離間距離（Ｌ７）を設定することにより設定される。つまり、本実施形態では、Ｌ７が任意の値に設定可能となっており、このＬ７を設定することにより、記録開始位置ＫＫが設定される。後に詳述するように、複合処理装置１は、記録開始位置ＫＫの設定の方法（Ｌ７の値の設定の方法）に特徴がある。
さらに、小切手４に画像を記録する際は、ホストコンピューター５から小切手４に記録すべき画像を示す画像データが入力される。画像データとは、画像を構成する画素のそれぞれについて、色に関する情報を階調値として保持するデータである。そして、制御部７０の記録制御部７０ａは、小切手４に画像を記録する場合、ＲＡＭ等の記憶領域に、当該画像の画像データのサイズに対応する画像バッファー７９を形成し、当該画像データに所定の画像処理を施してイメージデータを生成し、生成したイメージデータを画像バッファー７９に展開する。
【００３５】
以下、図６を用いて小切手４への画像の記録の際の動作について詳述する。
なお、図６に示すように、ノズル列９０と、中間検出器４６の検出位置Ｔ１との離間距離は、Ｌ８である。
また、記録制御部７０ａの機能は、ＣＰＵがファームウェアを読み出して実行する等、ハードウェアとソフトウェアとの協働により実現される。
まず、図６のＡに示すように、制御部７０の記録制御部７０ａは、搬送モーター４２を駆動して、搬送路Ｗ上で小切手４を搬送方向に向かって一定の速度で搬送する。
小切手４の搬送が進み、小切手４の前端４ｄが、検出位置Ｔ１に至ると（図６のＢに示す状態）、記録制御部７０ａは、中間検出器４６の検出値に基づいて、そのことを検出し、以後の小切手４の搬送量を管理する。上述したように、搬送モーター４２は、ステッピングモーターによって構成されており、ステッピングモーターのステップ数と、小切手４の搬送量とは比例関係にあるため、記録制御部７０ａは、搬送モーター４２のステップ数を管理することにより、小切手４の搬送量を管理する。ステップ数と、搬送量との対応関係は、例えば、記録制御部７０ａの機能を実現するプログラム（ファームウェア等）が参照可能なテーブルに記述され、また、プログラム上に定義されている。
小切手４の前端４ｄが検出位置Ｔ１に至った後、記録制御部７０ａは、小切手４を搬送方向に搬送しつつ、ノズル列９０に対応する位置に、記録開始位置ＫＫが至ったか否かを監視する。この監視は、以下のようにして行われる。すなわち、図６のＢに示すように、小切手４の前端４ｄが検出位置Ｔ１に至った時点での、ノズル列９０と記録開始位置ＫＫとの離間距離は、Ｌ８＋Ｌ１＋Ｌ７である。従って、記録制御部７０ａは、小切手４の前端４ｄが検出位置Ｔ１に至った後の搬送量が、Ｌ８＋Ｌ１＋Ｌ７により求められる値となったか否かを判別し、当該値となった場合に、ノズル列９０に対応する位置に、記録開始位置ＫＫが至ったと判別する。
【００３６】
記録制御部７０ａは、小切手４上の記録開始位置ＫＫが、ノズル列９０に対応する位置に至ったと判別すると（図６のＣに示す状態）、ノズル列９０からのインクの吐出を画像の記録を開始する。画像の記録の開始後、記録制御部７０ａは、小切手４の一定速度での搬送を維持しつつ、画像バッファー７９に展開したイメージデータに基づいて、ヘッド駆動回路７２を駆動して、ノズル列９０を構成するノズルのうち適切なノズルから、適切なタイミングでインクを吐出して、小切手４の裏面４ｂに画像を構成するドットを形成する（図６のＤに示す状態）。
以上のようにして、小切手４に対して画像が記録される。
【００３７】
ところで、上述したように、小切手４の記録可能領域は、エリアＡ１、エリアＡ２、及び、エリアＡ３の３つのエリアに区画されている（図５参照）。そして、エリアＡ１、エリアＡ２、及び、エリアＡ３には、小切手４の規格に応じて、それぞれ異なる目的を持った情報が記録される。従って、小切手４に画像を記録する場合は、３つのエリアのうち、いずれか１つのエリアに選択的に画像が記録される場合がある。
ここで、エリアＡ３に画像を記録する場合を考える。
上述したように、本実施形態では、記録開始位置ＫＫを起点として画像の記録が開始されるため、エリアＡ３に画像を記録するためには、エリアＡ３に画像が記録されるように、Ｌ７の値を適切に設定する必要がある。
そして、小切手４のサイズは一定でないため、適切なＬ７の値は小切手４ごとに相違しており、エリアＡ３に画像を記録する際、ユーザーが、その都度Ｌ７の値を入力する構成とした場合、作業が非常に煩雑である。以上のことは、エリアＡ２に画像を記録する場合も同様である。
以上のことに基づき、本実施形態に係る複合処理装置１は、以下の動作を実行する。
【００３８】
図７は、本実施形態に係る複合処理装置１が、小切手４に画像を記録する際の動作を示すフローチャートである。
以下の説明では、媒体長検出部７０ｂ、画像長算出部７０ｃ、及び、記録開始位置設定部７０ｄの機能は、制御部７０のＣＰＵがファームウェアを読み出して実行する等、ハードウェアとソフトウェアとの協働により実現される。
また、以下の説明では、ストッカー１５に収納された小切手４の１枚に対して、磁気インク文字の読み取り等の処理を行わず、画像の記録のみを行う場合を例として複合処理装置１の動作を説明する。動作の開始時点では、処理の対象となる小切手４の搬送は開始されておらず、ストッカー１５に収納されている。
また、以下の説明では、エリアＡ１−エリアＡ３のうち、いずれか１つのエリアに画像を記録する場合を例として複合処理装置１の動作を説明する。
また、ホストコンピューター５から複合処理装置１に対して、ストッカー１５に収納された小切手４への画像の記録に係る各種動作を行わせるための制御コマンドが適切なタイミングで過不足無く入力されるものとする。この制御コマンドには、少なくとも、小切手４に記録すべき画像の画像データが含まれていると共に、画像をエリアＡ１−エリアＡ３のうち、いずれのエリアに記録すべきかを示す情報が含まれている。本実施形態では、エリアＡ１−エリアＡ３のいずれかのエリアに画像を記録する場合は、ユーザーは、事前に、Ｌ７の値を具体的に設定することにより記録開始位置ＫＫを設定する必要はなく、エリアＡ１−エリアＡ３のいずれのエリアに画像を記録するのかを特定し、ホストコンピューター５に入力すればよい。入力に関しては、ホストコンピューター５のデバイスドライバーの機能により、エリアを入力するためのユーザーインターフェイスが提供されている。
【００３９】
さて、図７に示すように、小切手４に画像を記録する場合、まず、複合処理装置１の制御部７０の記録制御部７０ａは、ホストコンピューター５から入力された制御コマンドに基づいて、小切手４の裏面４ｂに形成されたエリアＡ１−エリアＡ３のうち、いずれのエリアに画像を記録するのかを判別する（ステップＳＢ１）。
【００４０】
＜エリアＡ１に画像を記録する場合＞
ステップＳＢ１において、エリアＡ１に画像を記録すると判別した場合（ステップＳＢ１：「エリアＡ１」）、記録制御部７０ａは、所定の記憶領域に画像バッファー７９を形成し、当該画像バッファー７９に記録すべき画像の画像データをイメージデータとして展開する（ステップＳＢ２）。
次いで、記録制御部７０ａは、Ｌ７の値を、予め定められた固定値と設定することにより、記録開始位置ＫＫを設定する（ステップＳＢ３）。
図８のＡは、ステップＳＢ３で設定される記録開始位置ＫＫの一例を表す図である。図８のＡに示すように、ステップＳＢ３において設定されるＬ７の値は、エリアＡ１の長さＬ４と比して非常に小さい値とされ、これにより、区切りＱ１と、記録開始位置ＫＫとが近接した状態となる。
このように、エリアＡ１に画像を記録する場合は、Ｌ７の値が固定値とされる理由は以下である。すなわち、エリアＡ１に画像を記録する際は、記録開始位置ＫＫを、エリアＡ１の前端である区切りＱ１に対応する位置とすればよい。そして、前マージンＭ１の長さＬ１は、小切手４のサイズによって変動するものではなく予め定められてものであるため、記録開始位置ＫＫを区切りＱ１に対応する位置とするために、小切手４のサイズに応じて、Ｌ７の値を調整する必要がないからである。
記録開始位置ＫＫの設定後、記録制御部７０ａは、各種機構を制御して、ストッカー１５に収納された小切手４を搬送路Ｗに繰り出して小切手４の搬送を開始し（ステップＳＢ４）、図６で説明した動作に準じて小切手４に画像を記録する（ステップＳＢ５）。
【００４１】
＜エリアＡ２、又は、エリアＡ３に画像を記録する場合＞
ステップＳＢ１において、エリアＡ２又はエリアＡ３に画像を記録すると判別した場合（ステップＳＢ１：「エリアＡ２、エリアＡ３」）、記録制御部７０ａは、所定の記憶領域に画像バッファー７９を形成し、当該画像バッファー７９に記録すべき画像の画像データをイメージデータとして展開する（ステップＳＢ６）。
次いで、画像長算出部７０ｃは、画像バッファー７９に展開したイメージデータに基づいて、小切手４に画像を記録したとした場合の、当該画像の長さＬ９（図８のＢ、Ｃ参照）を算出する（ステップＳＢ７）。例えば、画像バッファー７９に展開したイメージデータにより、イメージデータの搬送方向に対応する方向におけるドット数は取得でき、また、画像を構成するドットについて、解像度に応じて隣接するドット間の物理的な距離は一意に定まるため、画像長算出部７０ｃは、このことに基づいて適切な情報を取得して、画像の長さＬ９を算出する。画像の長さ（Ｌ９）の算出方法は、上記に限らず既存の全ての方法を適用可能である。
次いで、記録制御部７０ａは、各種機構を制御して、ストッカー１５に収納された小切手４を搬送路Ｗに繰り出して、小切手４の搬送を開始する（ステップＳＢ８）。図１に示す搬送路Ｗの各部材の配置状態から明らかなとおり、搬送が開始された小切手４は、インクジェットヘッド１０に至る前に、用紙長検出器３８に対応する位置を通過する。
そして、小切手４の搬送中、媒体長検出部７０ｂは、用紙長検出器３８の検出値に基づいて、小切手４の長さＬ１０（図５）を検出する（ステップＳＢ９）。具体的には、媒体長検出部７０ｂは、用紙長検出器３８によって小切手４が検出されている間、つまり、用紙長検出器３８によって小切手４の前端４ｄが検出された後、後端４ｅが検出されるまでの間、搬送モーター４２のステップ数を監視し、その値を取得する。ここで取得されたステップ数は、小切手４の長さＬ１０（前端４ｄから後端４ｅまでの長さ）分の搬送量に対応するステップ数である。次いで、媒体長検出部７０ｂは、取得したステップ数を長さに換算することにより、小切手４の長さＬ１０を検出する。
次いで、記録開始位置設定部７０ｄは、記録すべき領域（エリアＡ２、エリアＡ３）に応じて、記録開始位置ＫＫを設定する。以下、エリアＡ３に画像を記録する場合と、エリアＡ２に画像を記録する場合とに分けて、ステップＳＢ１０における記録開始位置設定部７０ｄの動作について説明する。
【００４２】
＜エリアＡ３に画像を記録する場合＞
エリアＡ３に画像を記録する場合、記録開始位置設定部７０ｄは、以下のようにしてＬ７の値を設定することにより、記録開始位置ＫＫを設定する。
図５に示すように、エリアＡ３は、エリアＡ１−エリアＡ３のうち、最も後端４ｅ側に形成されたエリアである。従って、エリアＡ３に画像を記録するためには、画像の後端が、区切りＱ４に対応する位置に位置するように、Ｌ７の値を設定すれば、画像の後端が区切りＱ４を搬送方向と逆側に越えてしまうことを確実に防止しつつ、エリアＡ３に画像を記録することができる。しかしながら、小切手４のサイズは一定でないため、画像の後端を、区切りＱ４に対応する位置に位置させるようなＬ７の値は、小切手４によって異なる。
以上のことに基づき、記録開始位置設定部７０ｄは、ステップＳＢ７で算出した、小切手４に記録すべき画像の長さＬ９と、ステップＳＢ９で検出した小切手４の長さＬ１０とに基づいて、エリアＡ３に画像を記録するときのＬ７の値を設定する。以下詳述する。
図８のＢは、エリアＡ３に画像を記録する場合に、Ｌ７の値を設定するときの設定方法の説明に利用する図である。
Ｌ７の値の設定にあたり、まず、記録開始位置設定部７０ｄは、記録可能領域の長さＬ３の値を算出する。Ｌ３の値は、ステップＳＢ９で検出した小切手４の長さＬ１０から、前後のマージンの長さＬ１、Ｌ２を減算した値である。
次いで、記録開始位置設定部７０ｄは、Ｌ３から、ステップＳＢ７で算出した画像の長さＬ９を減算した値を求め、当該値を、Ｌ７の値として設定する。
このようにしてＬ７の値を設定することにより、図８のＢに示すように、記録開始位置ＫＫを、小切手４の実際の長さ、及び、画像の実際の長さを反映して、画像の後端の位置が、区切りＱ４に対応する位置となるように設定することが可能である。
なお、Ｌ７の値の設定にあたり、画像の後端の位置が、区切りＱ４から多少離間するように、マージンを考慮するようにしても良いことは勿論である。
以上のように、複合処理装置１は、小切手４に記録しようとしている画像について、その画像の後端を、区切りＱ４に寄せて記録することが可能である。
【００４３】
＜エリアＡ２に画像を記録する場合＞
エリアＡ２に画像を記録する場合、記録開始位置設定部７０ｄは、以下のようにしてＬ７の値を設定することにより、記録開始位置ＫＫを設定する。
図５に示すように、エリアＡ２は、エリアＡ１−エリアＡ３のうち、真ん中に位置するエリアである。そして、エリアＡ２に画像を記録するためには、画像の後端が、区切りＱ３に対応する位置に位置するように、Ｌ７の値を設定すれば、画像がエリアＡ３にまで延在することを確実に防止しつつ、エリアＡ２に画像を記録することができる。しかしながら、小切手４のサイズは一定でないため、画像の後端を、区切りＱ３に対応する位置に位置させるようなＬ７の値は、小切手４によって異なる。
以上のことに基づき、記録開始位置設定部７０ｄは、ステップＳＢ７で算出した、小切手４に記録すべき画像の長さＬ９と、ステップＳＢ９で検出した小切手４の長さＬ１０とに基づいて、エリアＡ２に画像を記録するときのＬ７の値を設定する。以下詳述する。
図８のＣは、エリアＡ２に画像を記録する場合に、Ｌ７の値を設定するときの設定方法の説明に利用する図である。
Ｌ７の値の設定にあたり、まず、記録開始位置設定部７０ｄは、区切りＱ１から区切りＱ３までの長さＬ１１（図５も併せて参照）の値を算出する。Ｌ１１の値は、ステップＳＢ９で検出した小切手４の長さＬ１０から、前後のマージンの長さＬ１、Ｌ２を減算し、さらに、エリアＡ３の長さＬ５を減算した値である。
次いで、記録開始位置設定部７０ｄは、Ｌ１１から、ステップＳＢ７で算出した画像の長さＬ９を減算した値を求め、当該値を、Ｌ７の値として設定する。
このようにしてＬ７の値を設定することにより、図８のＣに示すように、記録開始位置ＫＫを、小切手４の実際の長さ、及び、画像の実際の長さを反映して、画像の後端の位置が、区切りＱ３に対応する位置となるように設定することが可能である。
なお、Ｌ７の値の設定にあたり、画像の後端の位置が、区切りＱ３から多少離間するように、マージンを考慮するようにしても良いことは勿論である。
以上のように、複合処理装置１は、小切手４に記録しようとしている画像について、その画像の後端を、区切りＱ３に寄せて記録することが可能である。
なお、エリアＡ２に画像を記録する場合は、区切りＱ３が小切手４の後端（媒体の後端）として機能する。つまり、小切手４の規格によってエリアＡ３の長さＬ５は一定であることを踏まえ、記録開始位置設定部７０ｄは、エリアＡ２に画像を記録する際は、区切りＱ３を小切手４の後端とみなして、後端と見なした区切りＱ３に対応する位置に、画像の後端が位置するように画像が記録されるように、記録開始位置ＫＫを設定する。
ここで、ステップＳＢ９、ステップＳＢ１０の処理は、画像の記録が開始される前、換言すれば、ノズル列９０の位置に記録開始位置ＫＫが位置する前に行われる。本実施形態に係る複合処理装置１は、上記のことが可能となるように、小切手４が取り得るサイズを踏まえ、用紙長検出器３８と、インクジェットヘッド１０とが搬送路Ｗ上の適切な位置に配置されている。
【００４４】
さて、ステップＳＢ１０において記録開始位置ＫＫを設定した後、記録制御部７０ａは、設定した記録開始位置ＫＫを利用して、図６で説明した動作に準じて小切手４に画像を記録する。これにより、エリアＡ３、又は、エリアＡ２の適切な位置に画像が記録される。
【００４５】
＜別の機能について＞
以上、小切手４の裏面４ｂに画像を記録する場合について説明したが、複合処理装置１は、小切手４に限らず、サイズが適合している帳票であれば、画像を記録可能である。
そして、本実施形態に係る複合処理装置１は、ある１の画像を帳票に記録する際に、ユーザーが、帳票の前端に寄せて画像を記録するのか、後端に寄せて画像を記録するのか、帳票の中央に寄せて画像を記録するのか、を予め指定できる構成となっており、かつ、指定に準じて画像を記録可能な構成となっている。なお、ユーザーによる指定は、例えば、ホストコンピューター５にインストールされたデバイスドライバーの機能により提供される専用のユーザーインターフェイスによって行われるようにしてもよく、また、複合処理装置１の操作スイッチ等を利用して行われるようにしてもよい。
ここで、帳票の前端に寄せて画像を記録する（以下、適宜、「前端寄せ」という。）とは、帳票の前端に対応する位置に画像の前端を位置させることをいう。また、帳票の後端に寄せて画像を記録する（以下、適宜、「後端寄せ」という。）とは、帳票の後端に対応する位置に画像の後端を位置させることをいう。また、帳票の中央に寄せて画像を記録する（以下、適宜、「中央寄せ」という。）とは、帳票の中央部に画像を記録することをいう。
【００４６】
前端寄せの場合、記録開始位置設定部７０ｄは、エリアＡ１に画像を記録する場合と同様にして、記録開始位置ＫＫを設定する。
図８のＡを援用して説明すると、記録開始位置設定部７０ｄは、Ｌ７の値を、予め定められた固定値であって、小さな値とし、これにより、記録開始位置ＫＫの位置を、帳票（図８のＡの例では小切手４）の前端に近接した位置とする。このように記録開始位置ＫＫが設定されることにより、帳票の前端に対応する位置に画像の前端が位置し、帳票の記録面において、画像が前端側に寄った状態となる。
【００４７】
後端寄せの場合、記録開始位置設定部７０ｄは、エリアＡ３に画像を記録する場合と同様にして、記録開始位置ＫＫを設定する。
図８のＢを援用して説明すると、記録開始位置設定部７０ｄは、媒体長検出部７０ｂにより検出された小切手４（帳票）の長さＬ１０に基づいて算出される記録可能領域の長さＬ３から、画像長算出部７０ｃにより算出された画像の長さＬ９を減算した値を、Ｌ７の値として設定する。このように記録開始位置ＫＫが設定されることにより、帳票の後端に対応する位置に画像の後端が位置し、帳票の記録面において、画像が後端側に寄った状態となる。
【００４８】
中央寄せの場合、記録開始位置設定部７０ｄは、以下のようにして記録開始位置ＫＫを設定する。
図９は、中央寄せで画像を記録する場合に設定される記録開始位置ＫＫの一例を、模式的に示す図である。図９では、中央寄せで記録することにより、小切手４の裏面４ｂの中央部に画像を記録する場合を例としている。
中央寄せの場合、記録開始位置設定部７０ｄは、媒体長検出部７０ｂにより検出された小切手４（帳票）の長さＬ１０に基づいて算出される記録可能領域の長さＬ３から、画像長算出部７０ｃにより算出された画像の長さＬ９を減算した値を、さらに１／２した値（式「（Ｌ３−Ｌ９）／２」により算出される値）を算出し、算出した値をＬ７の値として設定する。Ｌ７の値をこのような値とすることにより、図９に示すように、小切手４の裏面４ｂ（帳票の記録面）の中央部に画像を記録することが可能となる。
【００４９】
以上説明したように、本実施形態に係る複合処理装置１は、小切手４の搬送路Ｗ上に設けられたインクジェットヘッド１０と、搬送路Ｗ上で搬送方向に小切手４を搬送する搬送部（搬送モーター４２等の搬送に係る機構）と、を備えている。さらに、複合処理装置１は、小切手４に記録すべき画像の画像データを画像バッファー７９に展開し、展開した画像データに基づいて、インクジェットヘッド１０、及び、搬送部を制御して、小切手４の記録開始位置ＫＫから画像の記録を開始して、小切手４に画像を記録する記録制御部７０ａを備えている。さらに、複合処理装置１は、搬送部による搬送中の小切手４の長さＬ１０を検出する媒体長検出部７０ｂと、小切手４に記録されるべき画像の長さＬ９を算出する画像長算出部７０ｃと、小切手４への画像の記録に際し、媒体長検出部７０ｂにより検出された小切手４の長さと、画像長算出部７０ｃにより算出された、小切手４に記録すべき画像の長さと、に基づいて、記録開始位置ＫＫを設定する記録開始位置設定部７０ｄ、を備えている。
これによれば、複合処理装置１は、小切手４への画像の記録に際し、小切手４の実際の長さＬ１０と、小切手４に記録すべき画像の実際の長さＬ９と、に基づいて、記録開始位置ＫＫを設定可能である。このため、複合処理装置１は、記録開始位置ＫＫを、小切手４の実際の長さ、及び、小切手４に記録すべき画像の実際の長さと、小切手４において画像を記録すべき領域と、の関係で適切な位置とすることが可能であり、これにより、小切手４のサイズにかかわらず、小切手４の画像を記録すべき領域に対応する適切な位置に、画像を記録することが可能となる。
【００５０】
また、本実施形態では、記録開始位置設定部７０ｄは、エリアＡ３に画像を記録する場合、Ｌ７の値を、小切手４の長さＬ１０に基づいて算出される記録可能領域の長さＬ３と、小切手４に記録すべき画像の長さＬ９との差に対応する値とする。これにより、記録開始位置設定部７０ｄは、記録開始位置ＫＫを、小切手４の後端４ｅからマージンを考慮した位置に対応する位置に画像の後端が位置するように画像を記録するための位置とする。
これにより、複合処理装置１は、小切手４の後端部に形成されたエリアＡ３に画像を記録する際に、当該領域に対応する適切な位置に画像を記録することが可能となる。
【００５１】
また、本実施形態では、中央寄せが指定されている場合、記録開始位置設定部７０ｄは、さらに、小切手４の長さＬ１０と、小切手４に記録すべき画像の長さＬ９とに基づいて、小切手４の中央部に画像を記録したとした場合の、小切手４のマージンを考慮した前端と画像の前端との離間量を算出し、算出した離間量をＬ７の値とする。
この構成によれば、複合処理装置１は、小切手４の実際の長さと、画像の実際の長さとに応じて、記録開始位置ＫＫを、小切手４の帳票の中央部に画像を記録するための位置とすることが可能である。
【００５２】
また、本実施形態では、複合処理装置１は、画像を前端寄せで記録するか、後端寄せで記録するか、又は、中央寄せで記録するか、ユーザーの指示に応じて切り替えることができる。
この構成によれば、複合処理装置１は、記録開始位置ＫＫを、小切手４等の帳票における画像を記録するべき領域に応じた適切とすることができる。
【００５３】
＜第２実施形態＞
次いで、第２実施形態について説明する。
以下の説明では、第１実施形態と同一の部材については、同一の符号を付し、その説明を省略する。
上述した第１実施形態に係る複合処理装置１は、小切手４が取り得るサイズを踏まえ、インクジェットヘッド１０と、用紙長検出器３８との位置が十分に離間していたため、小切手４の搬送方向への一定速度での搬送中に、小切手４の用紙長検出器３８の通過、小切手４の搬送方向の長さＬ１０の検出、記録開始位置ＫＫの設定、及び、記録開始位置ＫＫからの画像の記録の開始を行うことができた。
一方で、装置によっては、媒体検出用のセンサー（用紙長検出器３８に対応する部材）と、記録ヘッド（インクジェットヘッド１０に対応する部材）とが、小切手４の長さとの関係で、十分に離間しておらず、小切手４が当該センサーを通過した時点で、小切手４の記録開始位置ＫＫが、記録ヘッドの位置を搬送方向側に越えてしまう場合もある。
このことに基づき、本実施形態に係る複合処理装置１ｂ（記録装置）は、以下の動作を実行する。
【００５４】
図１０は、本実施形態に係る複合処理装置１ｂの動作を説明するために、搬送路Ｗ上に、インクジェットヘッド１０を示すと共に、中間検出器４６による検出位置Ｔ１、及び、用紙長検出器３８による検出位置Ｔ２を示す図である。
本実施形態に係る複合処理装置１ｂは、用紙長検出器３８と、インクジェットヘッド１０との離間距離が、上述した第１実施形態に係る複合処理装置１と比して短い。
また、本実施形態に係る複合処理装置１ｂは、搬送路Ｗ上で、小切手４を搬送方向と逆方向に処理量だけ搬送することが可能である。
第１実施形態で説明したとおり、搬送中の小切手４の長さＬ１０を検出するためには、少なくとも、小切手４の後端４ｅが、用紙長検出器３８を通過する必要がある。そして、記録制御部７０ａは、小切手４の後端４ｅが用紙長検出器３８の検出位置Ｔ２を通過したこと（図１０のＡに示す状態）を検出した場合、当該用紙長検出器３８を用いて検出された小切手４の長さＬ１０に基づいて設定された記録開始位置ＫＫが、ノズル列９０を搬送方向側に通過しているか否かを判別する。記録開始位置ＫＫが、ノズル列９０を搬送方向側に通過している場合、記録開始位置ＫＫから画像の記録を開始することができないため、記録制御部７０ａは、小切手４の搬送を中断する。次いで、記録制御部７０ａは、各種機構を制御して、小切手４の前端４ｄが、中間検出器４６の検出位置Ｔ１に至るまで、小切手４を搬送方向と逆方向に搬送する（図１０のＢ参照）。つまり、記録開始位置ＫＫが、ノズル列９０よりも搬送方向の逆方向側に位置するように、小切手４をバックフィードする。
次いで、複合処理装置１ｂは、搬送方向への小切手４の搬送を開始すると共に、ノズル列９０に対応する位置に記録開始位置ＫＫが至ったタイミングで画像の記録を開始する（図１０のＣ）。
【００５５】
以上の動作が行われることにより、本実施形態では、小切手４の後端４ｅが用紙長検出器３８を通過し、小切手４の長さの検出が完了した時点で、小切手４の記録開始位置ＫＫがインクジェットヘッド１０を搬送方向側に通過し、記録開始位置ＫＫからの記録の開始ができないという事態が生じた場合であっても、小切手４をバックフィードして、記録開始位置ＫＫから画像の記録を開始することが可能である。
【００５６】
なお、上述した実施の形態は、あくまでも本発明の一態様を示すものであり、本発明の範囲内で任意に変形および応用が可能である。
例えば、上述した実施形態では、記録制御部７０ａ、媒体長検出部７０ｂ、画像長算出部７０ｃ、及び、記録開始位置設定部７０ｄの機能を、複合処理装置１が備えていた。しかしながら、これら機能の全部、又は、一部を制御部としてのホストコンピューター５が備えるようにしてもよい。その際、ホストコンピューター５は、各機能ブロックの機能を発揮するために必要な情報を、複合処理装置１から通信により取得すればよい。例えば、ホストコンピューター５によって媒体長検出部７０ｂの機能を実現する場合、ホストコンピューター５は、複合処理装置１から通信によって用紙長検出器３８の検出値を取得し、取得した検出値に基づいて、小切手４の長さを検出するようにすればよい。
また例えば、媒体長検出部７０ｂによる小切手４（媒体）の長さの検出方法は、実施形態で挙げた方法に限らず、既存の全ての方法を適用可能である。
また例えば、上述した実施形態では、記録ヘッドは、インクジェット式であったが、記録ヘッドの形式は、サーマル式や、ドットインパクト式等、何であってもよい。
また、図３に示す各機能ブロックはハードウェアとソフトウェアの協働により任意に実現可能であり、特定のハードウェア構成を示唆するものではない。
また、複合処理装置１の各機能ブロックの機能を、複合処理装置１に外部接続される別の装置に持たせるようにしてもよい。
また、外部接続される記憶媒体に記憶させたプログラムを実行することにより、各種動作を実行するようにしてもよい。
【符号の説明】
【００５７】
１、１ｂ…複合処理装置、４…小切手（媒体）、５…ホストコンピューター（制御装置）、１０…インクジェットヘッド（記録ヘッド）、３８…用紙長検出器（センサー）、７０…制御部、７０ａ…記録制御部、７０ｂ…媒体長検出部、７０ｃ…画像長算出部、７０ｄ…記録開始位置設定部、７９…画像バッファー、８０…ホスト側制御部、ＫＫ…記録開始位置、Ｗ…搬送路。
【図１】
0005974499.tif 000002
【図２】
0005974499.tif 000003
【図３】
0005974499.tif 000004
【図４】
0005974499.tif 000005
【図５】
0005974499.tif 000006
【図６】
0005974499.tif 000007
【図７】
0005974499.tif 000008
【図８】
0005974499.tif 000009
【図９】
0005974499.tif 000010
【図１０】
0005974499.tif 000011